(57)【要約】【課題】遊技制御基板に対する不正行為を防止すると共に、不正行為が行われた場合に、不正行為がされたことを容易かつ確実に判明できる遊技機を提供する。【解決手段】ピン部材２１８を加熱しながら、第１挿入孔２２２と第２挿入孔２２６に圧入する。このとき、圧入軸部材２４０は、金属製であり、第１挿入孔２２２が設けられた第１フランジ部２２０と、第２挿入孔２２６が設けられた第２フランジ部２２４とは、樹脂製であるため、ピン部材２１８の熱（例えば、１２０℃）が圧入軸部材２４０を介して第１フランジ部２２０又は第２フランジ部２２４に伝熱されると、融点の低い樹脂である第１フランジ部２２０と第２フランジ部２２４が溶け出し、融点の高い金属製のピン部材２１８の圧入軸部材２４０は、溶けない状態になる。これにより、圧入軸部材２４０の表面には、溶け出した第１フランジ部２２０又は第２フランジ部２２４が溶着されることになる。【選択図】      図１４
2009165652.tif 000002
【特許請求の範囲】
【請求項１】
遊技を制御する遊技制御基板と、前記遊技制御基板を収容するための遊技制御基板収容部材と、を備えた遊技機であって、
前記遊技制御基板収容部材は、
前記遊技制御基板を保持する収容部材本体と、
前記収容部材本体に設けられ第１孔部を備えた樹脂製の第１鍔部材と、
前記収容部材本体と接合して前記収容部材本体との間で前記遊技制御基板を囲むように覆う収容部材蓋体と、
前記収容部材蓋体に設けられ前記収容部材本体と前記収容部材蓋体とが接合された状態で前記第１孔部と連通する第２孔部を備えた樹脂製の第２鍔部材と、
相互に連通した前記第１孔部と前記第２孔部に挿入されて前記収容部材本体と前記収容部材蓋体との接合状態を維持させる金属製の固着具と、
を有し、
前記固着具は、前記第１孔部又は前記第２孔部に圧入する軸部材を有し、
前記軸部材を加熱し前記軸部材を介して前記第１鍔部材又は前記第２鍔部材に伝熱することにより前記第１鍔部材又は前記第２鍔部材が前記軸部材に溶着されていることを特徴とする遊技機。
【請求項２】
前記軸部材が前記第１孔部又は前記第２孔部に圧入されたときに前記軸部材の前記第１孔部又は前記第２孔部と接触する接触表面には、溝部が形成されており、
前記溝部に前記第１鍔部材又は前記第２鍔部材が溶着することで前記固着具が前記第１鍔部材又は前記第２鍔部材と係合していることを特徴とする請求項１に記載の遊技機。
【請求項３】
前記溝部は、前記軸部材の軸方向に対して傾斜するように延びる傾斜溝部であり、
前記傾斜溝部に前記第１鍔部材又は前記第２鍔部材が溶着することで前記固着具が前記第１鍔部材又は前記第２鍔部材と係合していることを特徴とする請求項２に記載の遊技機。
【請求項４】
前記傾斜溝部は、前記軸部材の軸方向に対して所定の方向に傾斜するように延びる第１傾斜溝部と、前記軸部材の軸方向に対して前記第１傾斜溝部の傾斜方向と反対方向に傾斜するように延びる第２傾斜溝部と、で構成され、
前記第１傾斜溝部及び前記第２傾斜溝部に前記第１鍔部材又は前記第２鍔部材が溶着することで前記固着具が前記第１鍔部材又は前記第２鍔部材と係合していることを特徴とする請求項３に記載の遊技機。
【請求項５】
前記軸部材は、径方向外側に突出した第１突出部材と、前記第１突出部材から前記軸部材の軸方向に沿って離間して径方向外側に突出した第２突出部材と、を備え、
前記第１突出部材と前記第２突出部材との間に前記第１鍔部材又は前記第２鍔部材が溶着することで前記固着具が前記第１鍔部材又は前記第２鍔部材と係合していることを特徴とする請求項１乃至４のいずれか１項に記載の遊技機。
【発明の詳細な説明】
【技術分野】
【０００１】
本発明は、遊技球や遊技メダルなどの遊技媒体を用いた遊技を制御する遊技制御基板と、遊技制御基板を収容するための遊技制御基板収容部材と、を備えたパチンコ機やスロットマシンなどの遊技機に関する。
【背景技術】
【０００２】
従来から、遊技機には、遊技を制御する遊技制御基板（例えば、主制御基板や払出制御基板）などを収容するための収容ケースが遊技盤の裏面や遊技機筐体の裏面に取り付けられている。この収容ケースは、遊技制御基板を保持するケース本体と、ケース本体と接合されるケースカバーと、で構成されている。そして、ケース本体とケースカバーとは、ワンウエイビスなどの固着具で固着されることにより相互に結合されている。
【特許文献１】特許第３８６０４７９号特許公報
【特許文献２】特開２００４−１１３５２６号公報
【発明の開示】
【発明が解決しようとする課題】
【０００３】
ところで、ワンウエイビスで固着してケース本体とケースカバーとを結合させる方法では、特殊な専用工具を用いることにより、痕跡を残すことなく、ワンウエイビスを取り外すことができる。そして、ケース本体とケースカバーとを分離させ、内部に収容された遊技制御基板を取り出して、遊技制御基板に対して不正な行為を施し、再び、遊技制御基板をケース本体に戻して、ケース本体とケースカバーをワンウエイビスで結合させることができる。
【０００４】
このような不正行為が行われると、不正行為の痕跡がないため、不正行為を気付くことが困難となり、不正行為が行われた遊技制御基板で遊技が開始されることになる。この結果、不正な遊技が進行するという問題が生じる。
【０００５】
そこで、本発明は、遊技制御基板に対する不正行為を防止すると共に、不正行為が行われた場合でも、不正行為がされたことを容易かつ確実に発見できる遊技機を提供することを目的とする。
【課題を解決するための手段】
【０００６】
請求項１に記載の発明は、遊技を制御する遊技制御基板と、前記遊技制御基板を収容するための遊技制御基板収容部材と、を備えた遊技機であって、前記遊技制御基板収容部材は、前記遊技制御基板を保持する収容部材本体と、前記収容部材本体に設けられ第１孔部を備えた樹脂製の第１鍔部材と、前記収容部材本体と接合して前記収容部材本体との間で前記遊技制御基板を囲むように覆う収容部材蓋体と、前記収容部材蓋体に設けられ前記収容部材本体と前記収容部材蓋体とが接合された状態で前記第１孔部と連通する第２孔部を備えた樹脂製の第２鍔部材と、相互に連通した前記第１孔部と前記第２孔部に挿入されて前記収容部材本体と前記収容部材蓋体との接合状態を維持させる金属製の固着具と、を有し、前記固着具は、前記第１孔部又は前記第２孔部に圧入する軸部材を有し、前記軸部材を加熱し前記軸部材を介して前記第１鍔部材又は前記第２鍔部材に伝熱することにより前記第１鍔部材又は前記第２鍔部材が前記軸部材に溶着されていることを特徴とする。
【０００７】
請求項１に記載の発明によれば、固着具を加熱しながら、第１孔部と第２孔部に圧入する。このとき、固着具の軸部材は、金属製であり、第１孔部が設けられた第１鍔部材と、第２孔部が設けられた第２鍔部材とは、樹脂製であるため、固着具の熱（例えば、１２０℃）が軸部材を介して第１鍔部材又は第２鍔部材に伝熱されると、融点の低い樹脂である第１鍔部材と第２鍔部材が溶け出し、融点の高い金属製の固着具の軸部材は、溶けない状態になる。これにより、軸部材の表面には、溶け出した第１鍔部材又は第２鍔部材が溶着されることになる。この結果、第１鍔部材又は第２鍔部材から固着具の軸部材に作用する圧力（軸部材を圧入することにより軸部材に反作用力として作用する圧力）と、固着具の軸部材に対して溶着される第１鍔部材又は第２鍔部材の溶着力と、が同時に発生するため、固着具の軸部材を第１孔部又は第２孔部から引き出すことが不可能になる。
【０００８】
また、固着具の軸部材を切断するなどして固着具を強引に引き出し、遊技制御基板に対して不正行為を施した場合でも、固着具が破損していること状況から、不正行為の事実を容易に発見することができる。
【０００９】
以上のように、痕跡を残すことなく遊技制御基板を収容部材本体から取り出すことを不可能にすると共に、不正行為を施した場合には、必ずその痕跡が残るため、不正行為の事実を容易かつ確実に発見することができる。
【００１０】
請求項２に記載の発明は、請求項１に記載の遊技機において、前記軸部材が前記第１孔部又は前記第２孔部に圧入されたときに前記軸部材の前記第１孔部又は前記第２孔部と接触する接触表面には、溝部が形成されており、前記溝部に前記第１鍔部材又は前記第２鍔部材が溶着することで前記固着具が前記第１鍔部材又は前記第２鍔部材と係合していることを特徴とする。
【００１１】
請求項２に記載の発明によれば、固着具の軸部材に形成された溝部に第１鍔部材又は第２鍔部材が溶着することで、固着具が第１鍔部材又は第２鍔部材と係合する。これにより、軸部材と第１鍔部材又は第２鍔部材との接触面積が大きくなり、固着具と第１鍔部材又は第２鍔部材との溶着力が大きくなる。この結果、固着具の第１孔部又は第２孔部からの抜き出しを防止できる。
【００１２】
請求項３に記載の発明は、請求項２に記載の遊技機において、前記溝部は、前記軸部材の軸方向に対して傾斜するように延びる傾斜溝部であり、前記傾斜溝部に前記第１鍔部材又は前記第２鍔部材が溶着することで前記固着具が前記第１鍔部材又は前記第２鍔部材と係合していることを特徴とする。
【００１３】
請求項３に記載の発明によれば、固着具の軸部材に形成された傾斜溝部に第１鍔部材又は第２鍔部材が溶着することで固着具が第１鍔部材又は第２鍔部材と係合する。これにより、軸部材と第１鍔部材又は第２鍔部材との接触面積が大きくなり、固着具と第１鍔部材又は第２鍔部材との溶着力が大きくなる上に、傾斜溝部は軸部材の軸方向に対して傾斜するように形成されている溝部であるため、固着具を第１孔部又は第２孔部からそのまま引き抜こうとしても、傾斜溝部の凸凹を構成する凸部と第１鍔部材又は第２鍔部材の溶着部とが干渉するため、引き出すことが不可能になる。この結果、固着具の第１孔部又は第２孔部からの抜き出しを阻止できる。
【００１４】
請求項４に記載の発明は、請求項３に記載の遊技機において、前記傾斜溝部は、前記軸部材の軸方向に対して所定の方向に傾斜するように延びる第１傾斜溝部と、前記軸部材の軸方向に対して前記第１傾斜溝部の傾斜方向と反対方向に傾斜するように延びる第２傾斜溝部と、で構成され、前記第１傾斜溝部及び前記第２傾斜溝部に前記第１鍔部材又は前記第２鍔部材が溶着することで前記固着具が前記第１鍔部材又は前記第２鍔部材と係合していることを特徴とする。
【００１５】
請求項４に記載の発明によれば、固着具の軸部材に形成された第１傾斜溝部及び第２傾斜溝部に第１鍔部材又は第２鍔部材が溶着することで固着具が第１鍔部材又は第２鍔部材と係合する。ここで、固着具を回転させながら引き抜こうとした場合には、第１傾斜溝部の傾斜方向と第２傾斜溝部の傾斜方向とが軸部材の軸方向に対して反対方向になるため、固着具を左右のいずれの方向に回転させた場合でも、第１傾斜溝部又は第２傾斜溝部の一方の傾斜方向が固着具の回転方向と反対方向になるため（第１傾斜溝部又は第２傾斜溝部の一方の傾斜方向が固着具の回転方向と順方向になり、他方が逆方向の関係になるため）、固着具を回転させた場合でも引き出し難くなる。この結果、固着具を左右に回転させながら引き出そうとした場合でも、固着具の第１孔部又は第２孔部からの抜き出しを阻止できる。
【００１６】
請求項５に記載の発明は、請求項１乃至４のいずれか１項に記載の遊技機において、前記軸部材は、径方向外側に突出した第１突出部材と、前記第１突出部材から前記軸部材の軸方向に沿って離間して径方向外側に突出した第２突出部材と、を備え、前記第１突出部材と前記第２突出部材との間に前記第１鍔部材又は前記第２鍔部材が溶着することで前記固着具が前記第１鍔部材又は前記第２鍔部材と係合していることを特徴とする。
【００１７】
請求項５に記載の発明によれば、固着具の第１突出部材と第２突出部材との間に第１鍔部材又は第２鍔部材が溶着すると、第１突出部材と第２突出部材との間に第１鍔部材又は第２鍔部材の溶け出した溶着部が入り込んで、固着具が第１鍔部材又は第２鍔部材と係合する。これにより、固着具と第１鍔部材又は第２鍔部材との係合がさらに強固になり、固着具の第１孔部又は第２孔部からの抜き出しを阻止できる。
【発明を実施するための最良の形態】
【００１８】
（第１実施形態）
次に、本発明の第１実施形態に係る遊技機について、図面を参照して説明する。なお、本実施形態では本発明を弾球遊技機の一例であるパチンコ機の遊技制御基板収容ケースに適用した構成を説明するが、スロットマシンの遊技制御基板を収容するための遊技制御基板収容ケースに対しても容易に適用することができる。
【００１９】
図１に示すように、第１実施形態に係るパチンコ機（遊技機）１０の前面部には、主として、外枠１２と、内枠１４と、前面枠１６と、上皿部１８と、下皿部２０と、施錠装置２２と、発射ハンドル２４などが設けられている。
【００２０】
外枠１２は、木製の板状体を略長方形の額縁状に組立て固着したものである。内枠１４は、全体がブラスチック製で、外枠１２に対して開閉可能に軸支されている。また、内枠１４の右端中央からやや下方には、施錠装置２２が設けられている。
【００２１】
前面枠１６は、本発明の前面扉の一具体例を示すもので、パチンコ機１０の前面部全体の約２／３のサイズを占め、内枠１４の左端に開閉可能となるように軸支されている。また、前面枠１６は、全体がプラスチック製であり、遊技盤２６（図３参照）を前方から視認するべく、遊技盤２６に形成された遊技領域２８（図３参照）の形状に対応して略円形に形成された開口部３０を有している。また、前面枠１６の裏面には、ガラス板３２がガラス枠（図示省略）によって取り付けられている。そして、遊技者を基準とすれば、遊技盤２６に形成された遊技領域２８はガラス板３２の後方に位置するようになっている。
【００２２】
また、前面枠１６の下方側には、上皿部１８が設けられている。この上皿部１８には、演出ボタン４０と、球貸操作部１５５と、がそれぞれ設けられている。
【００２３】
また、上皿部１８の下方側には、下皿部２０が設けられている。また、下皿部２０の右下方側には、遊技球を発射させるための発射ハンドル２４が設けられている。この発射ハンドル２４には、発射レバー４４と、発射停止ボタン４６がそれぞれ設けられている。
【００２４】
また、下皿部２０の左右下方側には、所定の効果音を出力するための各サブスピーカ４８がそれぞれ設けられている。
【００２５】
また、内枠１４には、遊技領域２８の形状に合致した開口部（図示省略）が形成されている。この内枠１４の内側面には、遊技盤２６が取り付けられる。これにより、遊技者は、遊技盤２６の遊技領域２８を内枠１４の開口部及び前面枠１６の開口部３０を通して視認することができる。
【００２６】
さらに、パチンコ機１０の正面左側には、球貸装置１５４が設けられている。本実施形態では、球貸装置１５４として、ＣＲユニットが適用されている。この球貸装置１５４には、プリペイドカードを挿入するカード挿入口１５７が形成されている。なお、球貸装置１５４として、現金ユニットを設けた構成でもよい。この現金ユニットには、カード挿入口１５７に替えて、現金を入れるための現金投入口（図示省略）が形成されている。
【００２７】
また、球貸操作部１５５には、球貸しを要求するための球貸スイッチ１５６、カード挿入口１５７に挿入されたプリペイドカードの返却を要求するための返却スイッチ１５８と、がそれぞれ設けられている。
【００２８】
例えば、球貸装置１５４のカード挿入口１５７にプリペイドカードを挿入すると、プリペイドカードの記憶情報が球貸装置１５４内部のカードリードライタにより読み取られる。プリペイドカードの残り度数が「０」である場合には、カード挿入口１５７から自動的にプリペイドカードが返却される。一方、プリペイドカードの残り度数が「０」でない場合には、球貸スイッチ１５６を押圧操作すると、カードリードライタによりプリペイドカードの残り度数が減算されてプリペイドカードの記憶情報が書き換えられると共に、その減算された度数（貸出金額）に対応する個数から消費税に相当する個数が引かれて、遊技球（貸球）が払出装置１６１から上皿部１８に案内される。このとき、例えば、プリペイドカードの残り度数が減算されて「０」となった場合には、カード挿入口１５７から自動的にプリペイドカードが返却される。
【００２９】
なお、球貸装置１５４として現金ユニットを用いる構成では、球貸装置の現金投入口に現金を投入すると、現金が球貸装置内部のキャッシュカウンタによりカウントされる。投入金額が所定の額に到達した後、球貸スイッチを押圧操作すると、キャッシュカウンタにより投入金額が減額されていくとともに、その減額された金額（貸出金額）に対応する個数から消費税に相当する個数が引かれて、遊技球（貸球）が払出装置１６１から上皿部１８に案内される。
【００３０】
図２に示すように、パチンコ機１０の内枠１４には、遊技盤２６の背面側を覆うように裏機構盤２００が取り付けられている。この裏機構盤２００には、主として、払出制御基板１０４を収容した払出制御基板ケースセット２０２と、発射制御基板１０８を収容した発射制御基板ケースセット２０４と、パチンコ機１０に対して電源を供給する電源基板２０６を収容した電源基板ケースセット２０８と、がそれぞれ取り付けられている。これらの各基板ケースセット２０２、２０４、２０８は、組み付け後に、外枠１２を通してパチンコ機１０の背面側に突出するように構成されている。
【００３１】
次に、遊技盤２６の表面構造について説明する。
【００３２】
図３に示すように、遊技盤２６は、内枠１４に保持されるとともに、裏機構盤２００によりその背面側が覆われている。遊技盤２６には、遊技盤２６の表面に設けられた外レール５０と内レール５２とにより略円形状の遊技領域２８が形成されている。遊技領域２８の内部には、中央装置５４と、始動口５６Ｂと、ワープ入球口５８と、多数の障害釘６０等と、がそれぞれ配設されている。
【００３３】
中央装置５４は、遊技領域２８の略中央部に配置されており、演出図柄表示装置６２と、センター役物６４と、ランプ装置６６と、を備えている。
【００３４】
演出図柄表示装置６２は、主制御基板（遊技制御基板）１０２（図５参照）やサブ制御基板１０６（図５参照）からの制御信号に基づいて表示制御されており、略長方形状の表示面（表示領域）を有している。この表示面上には、特別図柄の演出図柄が表示される。具体的には、演出図柄表示装置６２の表示面上には、１又は複数の演出図柄を所定の方向に次々と変動させながら表示した後、停止表示する演出図柄表示領域が形成されている。すなわち、左演出図柄を表示する左演出図柄表示領域、中央演出図柄を表示する中央演出図柄表示領域、及び右演出図柄を表示する右演出図柄表示領域が、略横一列となる配置方向に沿って並んで形成されている（それぞれ図示省略）。各演出図柄表示領域は、これらの表示領域の配置方向と略直交する方向（上下方向）に図柄変動方向が設定されており、その方向に複数の演出図柄が順次表示されていく。
【００３５】
演出図柄表示装置６２は、遊技球が始動口５６Ｂに入球することにより、その表示面の表示領域に表示される各演出図柄をそれぞれ変動させて停止表示させるものである。そして、例えば、演出図柄が「７、７、７」の３桁同一図柄で揃って停止表示（確定表示）すると、変動入賞装置８０に配設された大入賞装置８４の大入賞口８６が開放される。本実施形態のパチンコ機１０では始動口５６Ｂに遊技球が入球すると、各演出図柄がそれぞれ変動され、演出図柄が３桁同一図柄で揃うことにより、「大当り」という特定価値を付与するものである。
【００３６】
ここで、本実施形態のパチンコ機１０では、例えば、大当りとして２種類のものが予め設定されている。具体的には、「７、７、７」などの同一の奇数数字の演出図柄が３桁揃うことにより成立する確変大当りがある。また、「８、８、８」などの同一の偶数数字の演出図柄が３桁揃うことにより成立する通常大当りがある。
【００３７】
確変大当り及び通常大当りは、比較的多くのラウンド数（例えば、１５ラウンド）を有し、大入賞口８６の開放時間が約２６秒間である大当りである。このため、賞球数が比較的多くなる。なお、各大当りでは、大入賞口８６に所定数（例えば、１０個）の遊技球が入球するか、あるいは所定数（例えば、１０個）の遊技球が入球しなくても所定時間（例えば、２６秒間）が経過したときに大入賞口８６が閉じられて１ラウンドが終了する。
【００３８】
また、確率変動状態は、大当り（確変大当り及び通常大当りの２種類の大当りを意味する）に移行する確率が予め定められた高確率となる状態である。また、開放時間延長状態は、始動口５６Ｂの開放時間が通常よりも延長される状態である。例えば、通常の開放時間は、約０．１秒間であるのに対して、開放時間延長状態では、約４秒間に延長される。なお、始動口５６Ｂは、普通図柄の抽選に当選することにより開放するもので、普通電動役物として機能する。
【００３９】
また、確変大当りの後は、大当りに移行する確率が、通常遊技状態と比べ予め定められた高確率となる、特別図柄の確率変動状態になる。そして、次回大当りが発生するまでの間か、あるいは規定回数（例えば、１００００回）の特別図柄の変動表示が行われるまでの間、特別図柄及び普通図柄の変動時間が短縮され、かつ始動口５６Ｂの開放延長機能が作動する。また、通常大当りの後は、大当りに移行する確率が通常遊技状態と同一の予め定められた低確率状態となるとともに、規定回数（例えば、１００回）だけ特別図柄及び普通図柄の変動時間が短縮され、かつ始動口５６Ｂの開放延長機能が作動する時短遊技状態となる。
【００４０】
センター役物６４は、演出図柄表示装置６２の前面周辺部に突設して装着されている。センター役物６４は、可動する一対の翼片部６４Ａを有している。この翼片部６４Ａの可動によりワープ入球口５８の開口面積が変化する。
【００４１】
また、遊技領域の左下方側には、主制御基板１０２からの制御信号に基づいて識別図柄（特別図柄の識別図柄及び普通図柄の識別図柄を意味する）を表示制御する７セグ表示基板（図柄表示装置）６８が配置されている。この７セグ表示基板６８は、特別図柄の識別図柄を表示する７セグメント表示器７０と、４個の普通図柄保留表示ＬＥＤ７２と、４個の特別図柄保留表示ＬＥＤ７４と、普通図柄の識別図柄を表示する２個の普通図柄表示ＬＥＤ７６と、を有している。
【００４２】
ここで、確変大当りした場合では、７セグメント表示器７０には、予め定められた識別図柄（例えば、奇数の数字からなる確変大当り図柄）が停止表示される。また、通常大当りした場合では、７セグメント表示器７０には、予め定められた別の識別図柄（例えば、偶数の数字からなる通常大当り図柄）が停止表示される。
【００４３】
また、演出図柄表示装置６２の左側には、普通図柄作動ゲート７８が配置されている。この普通図柄作動ゲート７８の内部には、ゲートスイッチ１２４（図５参照）が配設されている。これにより、遊技球が普通図柄作動ゲート７８を通過すると、ゲートスイッチ１２４が作動して、７セグ表示基板６８の普通図柄表示ＬＥＤ７６が変動表示される。
【００４４】
各普通図柄保留表示ＬＥＤ７２及び各特別図柄保留表示ＬＥＤ７４は、４個の丸形の赤色ＬＥＤで構成されており、７セグメント表示器７０の左右両側に近接して配置されている。これは、普通図柄作動ゲート７８を通過した遊技球の数を４個まで普通図柄の保留とし、通過ごとに順次点灯しシフト表示するものである。また、始動口５６Ｂに入球した遊技球の数も４個まで特別図柄の保留とし、入球ごとに順次点灯しシフト表示するものである。７セグメント表示器７０の変動表示が開始する度に、未始動回数が消化され、１個の特別図柄保留表示ＬＥＤ７４は消灯される。また、普通図柄も普通図柄表示ＬＥＤ７６の変動表示が開始するたびに、未始動回数が消化され、１個の普通図柄保留表示ＬＥＤ７２が消灯される。そして、７セグメント表示器７０に予め定められた大当り図柄が停止表示されると大当りが発生し、大入賞口８６が開放状態となる。また、２個の普通図柄表示ＬＥＤ７６が予め定められた表示態様（当り図柄）で停止表示されると、普通図柄当りが発生し、始動口５６Ｂが開放状態となる。なお、７セグメント表示器７０にて表示される特別図柄の識別図柄と、演出図柄表示装置６２にて表示される特別図柄の演出図柄とは、同一の遊技結果（抽選結果）を示すものである。
【００４５】
始動口５６Ｂは、演出図柄表示装置６２の下方に離れて配置されているものであり、いわゆるチューリップ式で一対の翼片部材５６Ａが開閉するように形成されている。その内部には、遊技球の通過を検知する始動口スイッチ１２０（図５参照）と、翼片部材５６Ａを作動させるための始動口ソレノイド１３０（図５参照）と、がそれぞれ備えられている。この一対の翼片部材５６Ａが左右に開くと始動口５６Ｂの開放面積が大きくなって遊技球の入球可能性が大きくなる開放状態となり、一対の翼片部材５６Ａが閉じその離間距離が小さくなると始動口５６Ｂの開放面積が小さくなって遊技球の入球の可能性が小さくなる通常状態となる。
【００４６】
変動入賞装置８０は、始動口５６Ｂの下方に配置されており、基板８２と、大入賞装置８４と、を備えている。ここで、大入賞装置８４は、略中央に配置されており、帯状に開口された大入賞口８６と、この大入賞口８６を開放又は閉鎖する開閉板８８と、この開閉板８８を開閉するための大入賞口ソレノイド１３２（図５参照）と、入賞球を検知するカウントスイッチ１２６（図５参照）と、を備えている。
【００４７】
また、中央装置５４の左側下方部には、風車６３が配置されている。さらに、遊技領域の左側下方部及び右側下方部には、一対のサイドランプ９０がそれぞれ配置されている。
【００４８】
また、遊技盤２６の下方にはアウト口９２が設けられており、このアウト口９２の下部にはバック球防止部材９４が設けられている。このバック球防止部材９４は、遊技領域２８に到達せず戻ってきた遊技球が再び発射位置に戻ることを防止している。また、内レール５２の先端部には、ファール球防止部材９６が取り付けられている。
【００４９】
ここで、図４に示すように、遊技盤２６の裏面には、主制御基板１０２を収容した主制御基板ケースセット（遊技制御基板収容部材）２１０と、サブ制御基板１０６を収容したサブ制御基板収容セット２１２と、がそれぞれ取り付けられている。主制御基板ケースセット２１０の詳細な構成については、後述する。
【００５０】
次に、パチンコ機１０を構成する電子制御装置について説明する。
【００５１】
図５及び図６に示すように、電子制御装置は、主制御基板１０２と、払出制御基板１０４と、サブ制御基板１０６と、発射制御基板１０８と、を備えている。
【００５２】
図５に示すように、主制御基板１０２は、ＣＰＵ１０２Ａと、ＲＯＭ１０２Ｂと、を備えている。
【００５３】
また、主制御基板１０２のＣＰＵ１０２Ａは、ＲＯＭ１０２Ｂに記憶されたデータに基づいて、始動口ソレノイド１３０、大入賞口ソレノイド１３２、図柄表示装置１３４及びサブ制御基板１０６をそれぞれ制御する。また、主制御基板１０２のＣＰＵ１０２Ａは、遊技全体を司り主として当否判定などの遊技状態を判断するものである。
【００５４】
特に、ＣＰＵ１０２Ａは、始動口５６Ｂへの遊技球の入球を契機として、大当り抽選処理（特別遊技抽選処理）を実行し、任意の乱数（特別図柄当否判定乱数）を用いて当否を判定する機能を備えている。また、特別図柄の当否判定の実行に伴って、ＣＰＵ１０２Ａは、特別図柄（識別図柄）の変動パターン（変動時間）を決定する機能も備えている。
【００５５】
この識別図柄の変動パターンは、演出図柄表示装置６２に表示される各演出図柄の演出パターン（遊技演出）に対応するもので、ＣＰＵ１０２Ａが行う「識別図柄の変動パターンの決定」は、「演出図柄の演出パターン（遊技演出）の決定」に相当する。そして、特別図柄（識別図柄）の変動パターン（演出図柄の演出パターン）が決定されると、７セグメント表示器７０で特別図柄（識別図柄）の変動表示が開始されるとともに、演出図柄表示装置６２で演出図柄の変動表示が開始され、決定された変動パターンにより特定される変動時間が経過すると、特別図柄および演出図柄が停止表示され、その停止表示された演出図柄の図柄組み合わせ態様により、特別図柄の当否判定結果（大当り抽選結果）が遊技者に報知される。なお、演出図柄表示装置６２は、遊技盤２６の表面（盤面）略中央に、遊技者の視野に入り易い状態で配置される。一方、７セグメント表示器７０は、遊技盤２６の表面（盤面）の端部（本実施形態では盤面左側端部）に、遊技者の視野に入り難い状態で配置される。このことから、遊技者は演出図柄表示装置６２の表示内容に注目して遊技を行うのが一般的である。
【００５６】
そして、ＣＰＵ１０２Ａは、上述した演出図柄の変動表示及び停止表示の制御を行うサブ制御基板１０６や、盤面に設けられた各種入賞口に遊技球が入球することで発生する賞球の払い出し制御を行う払出制御基板１０４を直接的に制御する。また、主制御基板１０２のＣＰＵ１０２Ａは、演出表示基板１１０、アンプ基板１１２、装飾駆動基板１１４及び演出ボタン基板１１６をサブ制御基板１０６を介して間接的に制御する。
【００５７】
主制御基板１０２のＲＯＭ１０２Ｂには、ＣＰＵ１０２Ａにより実行される遊技全体の制御を実現するためのプログラムが記憶されている。
【００５８】
また、主制御基板１０２は、中継端子板１１８を介して、始動口スイッチ１２０と、大入賞口スイッチ１２２と、ゲートスイッチ１２４と、カウントスイッチ１２６と、にそれぞれ電気的に接続されている。
【００５９】
また、主制御基板１０２は、中継端子板１２８を介して、始動口ソレノイド１３０と、大入賞口ソレノイド１３２と、図柄表示装置１３４と、にそれぞれ電気的に接続されている。なお、７セグ表示基板６８は、図柄表示装置１３４の一実施形態である。
【００６０】
払出制御基板１０４は、中継端子板１３６を介して、ガラス枠スイッチ１３８と、外部タンクスイッチ１４０と、タンクスイッチ１４２と、にそれぞれ電気的に接続されている。また、払出制御基板１０４は、中継端子板１４４を介して、エラーＬＥＤ１４６に電気的に接続されている。また、払出制御基板１０４は、下皿満タンスイッチ１４８に電気的に接続されている。また、払出制御基板１０４は、中継端子板１５０を介して、球貸表示基板１５２と、球貸装置（ＣＲユニット）１５４と、にそれぞれ電気的に接続されている。
【００６１】
なお、球貸表示基板１５２には、球貸スイッチ１５６と、返却スイッチ１５８と、がそれぞれ電気的に接続されている。また、払出制御基板１０４は、中継端子板１６０を介して、払出モータ１６２を備えた払出装置１６１と払出スイッチ１６４とにそれぞれ電気的に接続されている。さらに、払出制御基板１０４は、主制御基板１０２と発射制御基板１０８とにそれぞれ電気的に接続されている。
【００６２】
図５及び図６に示すように、サブ制御基板１０６は、演出表示基板１１０と、アンプ基板１１２と、装飾駆動基板１１４と、演出ボタン基板１１６と、にそれぞれ電気的に接続されている。
【００６３】
また、サブ制御基板１０６は、主制御基板１０２からの制御信号に基づいて遊技の演出の制御を司るものである。また、サブ制御基板１０６は、ＣＰＵ１０６Ａと、ＲＯＭ１０６Ｂと、を備えている。
【００６４】
サブ制御基板１０６のＣＰＵ１０６Ａは、主制御基板１０２からの制御信号を受けて演出表示基板１１０、アンプ基板１１２、装飾駆動基板１１４及び演出ボタン基板１１６などの各基板を制御する。
【００６５】
ＲＯＭ１０６Ｂには、各基板の制御に必要なデータ（特に遊技の装飾に関する情報）が記憶されている。
【００６６】
図６に示すように、演出表示基板１１０には、演出表示装置１６６（６２）と、演出表示ＲＯＭ１６８と、がそれぞれ電気的に接続されている。この演出表示ＲＯＭ１６８には、演出図柄表示装置６２に変動表示及び停止表示される演出図柄のデータ（画像データ）が記憶されている。なお、演出図柄表示装置６２は、演出表示装置１６６の一実施形態である。
【００６７】
また、アンプ基板１１２には、所定の効果音を出力する各種スピーカ１７０（４８）が電気的に接続されている。なお、サブスピーカ４８は、各種スピーカ１７０の一実施形態である。
【００６８】
また、装飾駆動基板１１４には、各種ＬＥＤ・ランプ１７２（６６）が電気的に接続されている。また、装飾駆動基板１１４は、サブ制御基板１０６からの制御信号を受けて遊技の装飾に関する制御を行うものである。特に、装飾駆動基板１１４は、サブ制御基板１０６からの制御信号に基づいて、各ランプ装置６６の発光を制御する。また、演出ボタン基板１１６には、操作スイッチ１７４（４０）が電気的に接続されている。なお、ランプ装置６６は、各種ＬＥＤ・ランプ１７２の一実施形態である。また、演出ボタン４０は、操作スイッチ１７４の一実施形態である。
【００６９】
次に、主制御基板ケースセット２１０の詳細な構成について説明する。
なお、払出制御基板ケースセット２０２の構成については、主制御基板ケースセット２１０の構成と同様であるため、説明を省略する。また、サブ制御基板ケースセット２１２、発射制御基板ケースセット２０４及び電源基板ケースセット２０８については、不正対策の必要性が低く、単に係合させるだけの簡略な構成が採用されているため、説明を省略する。
【００７０】
図７乃至図１０に示すように、主制御基板ケースセット２１０は、基板ケース（収容部材本体）２１４と、ケースカバー（収容部材蓋体）２１６と、基板ケース２１４とケースカバー２１６との接合状態を維持させるピン部材（固着具）２１８と、で構成されている。
【００７１】
基板ケース２１４は、内部で主制御基板１０２を保持するためのケースであり、無色透明の樹脂で構成されている。基板ケース２１４の外側表面には、無色透明の樹脂製の第１フランジ部（第１鍔部材）２２０が一体形成されている。この第１フランジ部２２０には、ピン部材２１８が挿入される第１挿入孔（第１孔部）２２２が第１フランジ部２２０（基板ケース２１４）の厚み方向に延びるように形成されている。この第１挿入孔２２２の径（直径）は、ピン部材２１８を構成する後述の圧入軸部材（軸部材）２４０の径（直径）よりも若干小さく設定されている。
【００７２】
ケースカバー２１６は、基板ケース２１４に接合して基板ケース２１４との間で主制御基板１０２を囲むように覆う樹脂製で無色透明のカバーである。ケースカバー２１６の外側表面には、無色透明の樹脂製の第２フランジ部（第２鍔部材）２２４が一体形成されている。この第２フランジ部２２４には、ピン部材２１８が挿入される第２挿入孔２２６が第２フランジ部２２４（ケースカバー２１６）の厚み方向に貫通するように形成されている。この第２挿入孔２２６は、内径が比較的大きく設定された拡径孔部２２６Ａと、拡径孔部２２６Ａと連通し拡径孔部２２６Ａの径（直径）よりも小さな径の縮径孔部２２６Ｂと、で構成されている。拡径孔部２２６Ａの径（直径）は、ピン部材２１８を構成する圧入軸部材２４０の径（直径）よりも大きく設定されており、かつピン部材２１８のヘッド部材２４２の最大径（直径）と略同じ径となるように設定されている。また、縮径孔部２２６Ｂの径（直径）は、圧入軸部材２４０の径（直径）と略同じ径か、あるいは若干小さくなるように設定されている。図１０及び図１４に示すように、ピン部材２１８を第２挿入孔２２６の開口部２２８から内部に挿入すると、ヘッド部材２４２が拡径孔部２２６Ａと縮径孔部２２６Ｂとの段違い部２３０に係合するため、ピン部材２１８の第２挿入孔２２６の深さ方向（第２フランジ部２２４の厚み方向）へのさらなる移動（第２フランジ部２２４側へのさらなる移動）が阻止され、ピン部材２１８が第１挿入孔２２２及び第２挿入孔２２６の内部で位置決めされる。
【００７３】
ここで、基板ケース２１４とケースカバー２１６との接合方法について説明する。
【００７４】
図８及び図９に示すように、基板ケース２１４とケースカバー２１６とを対向させて、両者を接近させる。基板ケース２１４とケースカバー２１６とが接近して接触した状態では、基板ケース２１４の第１フランジ部２２０とケースカバー２１６の第２フランジ部２２４とが面接せず、相互に位置ずれした状態になっている。そして、図１０に示すように、基板ケース２１４の第１フランジ部２２０とケースカバー２１６の第２フランジ部２２４とが面接するように、基板ケース２１４又はケースカバー２１６の一方を他方に対してスライド移動させる。これにより、基板ケース２１４の第１フランジ部２２０とケースカバー２１６の第２フランジ部２２４とが面接して、第１挿入孔２２２と第２挿入孔２２６とが相互に連通した状態になる。第１挿入孔２２２と第２挿入孔２２６とが相互に連通した状態になると、第１挿入孔２２２及び第２挿入孔２２６の開口部２２８側からピン部材２１８を挿入（圧入）する。なお、このピン部材２１８の挿入（圧入）方法の詳細については、後述する。
【００７５】
次に、基板ケース２１４とケースカバー２１６との接合状態を維持させて両者を分離不可能にするピン部材２１８の構成について詳細に説明する。
【００７６】
図１１乃至図１３に示すように、ピン部材２１８は、全体として金属で構成されており、所定の方向に延びる圧入軸部材２４０と、圧入軸部材２４０の軸方向一方側端部に一体形成されたヘッド部材２４２と、で構成されている。
【００７７】
圧入軸部材２４０は、金属製で円柱状に形成され、第１挿入孔２２２及び第２挿入孔２２６に圧入されるものである。そして、その外周面には、軸方向に延びる複数の溝部２４６が形成されている。このため、圧入軸部材２４０の外周面には、周方向に沿って等間隔に並列して形成された複数の溝部２４６からなる凸凹領域２４４が形成されている。
【００７８】
ヘッド部材２４２は、金属製であり、かつ、圧入軸部材２４０との接続部位から離間する方向に向かって拡径するように形成されている。このため、ヘッド部材２４２の径は、圧入軸部材２４０から離間する方向に向かって徐々に大きくなる。
【００７９】
次に、ピン部材２１８の第１フランジ部２２０及び第２フランジ部２２４に対する取付方法について説明する。
【００８０】
図８乃至図１０に示す工程を経て、基板ケース２１４の第１フランジ部２２０とケースカバー２１６の第２フランジ部２２４とを面接させ、第１挿入孔２２２と第２挿入孔２２６とを連通させる。これにより、第１挿入孔２２２と第２挿入孔２２６の縮径孔部２２６Ｂとが接続して、１つの連通孔になる。
【００８１】
次に、図１１乃至図１４に示すように、ピン部材２１８の圧入軸部材２４０を第２挿入孔２２６の開口部２２８（図１０参照）から挿入する。ここで、ピン部材２１８の挿入方法として、ハンド式の熱溶着機２４８（図１４参照）の先端部にピン部材２１８のヘッド部材２４２を保持させた状態で、ピン部材２１８を１２０℃に加熱しながらピン部材２１８を挿入していく。
【００８２】
熱溶着機２４８からピン部材２１８を加熱（例えば、１２０℃に加熱）すると、ピン部材２１８の融点は加熱温度よりも高いため、ピン部材２１８が溶け出すことはないが、ピン部材２１８の圧入軸部材２４０及びヘッド部材２４２の全ての領域に熱が伝わり、全体的に昇温した状態になる。
【００８３】
ピン部材２１８を挿入していくと、圧入軸部材２４０が第２挿入孔２２６の縮径孔部２２６Ｂに到達するとともに縮径孔部２２６Ｂに圧入されていく。このとき、縮径孔部２２６Ｂの内周面は、ピン部材２１８の圧入軸部材２４０に接触（圧接）しているため、圧入軸部材２４０から縮径孔部２２６Ｂの内周面に熱が伝わる。そして、縮径孔部２２６Ｂが形成されている第２フランジ部２２４は樹脂製であり、その融点が１２０℃よりも低くなるため、縮径孔部２２６Ｂの内周面の樹脂が熱により溶け出すことになる。溶け出した縮径孔部２２６Ｂの内周面の樹脂は、半流動体となって圧入軸部材２４０の複数の溝部２４６に進入する。
【００８４】
引き続き、ピン部材２１８を挿入していくと、ピン部材２１８の圧入軸部材２４０が第１フランジ部２２０の第１挿入孔２２２に到達するとともに第１挿入孔２２２の開口部２３６（図１０参照）から内部に圧入されていく。このとき、第１挿入孔２２２の内周面は、ピン部材２１８の圧入軸部材２４０に接触（圧接）しているため、圧入軸部材２４０から第１挿入孔２２２の内周面に熱が伝わる。そして、同様にして、第１挿入孔２２２が形成されている第１フランジ部２２０は樹脂製であり、その融点が１２０℃よりも低いため、第１挿入孔２２２の内周面の樹脂が熱により溶け出すことになる。溶け出した第１挿入孔２２２の内周面の樹脂は、半流動体となって圧入軸部材２４０の複数の溝部２４６に進入する。
【００８５】
ピン部材２１８が第１挿入孔２２２と第２挿入孔２２６の縮径孔部２２６Ｂに、完全に圧入された状態で、熱溶着機２４８の電源を切り、熱量の供給を中止すると、第１挿入孔と第２挿入孔２２６の縮径孔部２２６Ｂの溶け出した樹脂が冷却されて、固まることになる。これにより、ピン部材２１８の圧入軸部材２４０に第１フランジ部２２０及び第２フランジ部２２４の樹脂が溶着された状態になり、ピン部材２１８の圧入軸部材２４０は、第１フランジ部２２０及び第２フランジ部２２４と係合した状態になる。
【００８６】
特に、ピン部材２１８の圧入軸部材２４０の外周面には、複数の溝部２４６が形成されているため、溶け出した第１フランジ部２２０及び第２フランジ部２２４の樹脂が各溝部２４６に入り込む。これにより、第１フランジ部２２０及び第２フランジ部２２４の樹脂とピン部材２１８の圧入軸部材２４０との接触面積が大きくなり、第１フランジ部２２０及び第２フランジ部２２４の樹脂とピン部材２１８の圧入軸部材２４０との溶着力を高めることができる。すなわち、ピン部材２１８の圧入軸部材２４０に溝部２４６が形成されていない構成でも、第１フランジ部２２０及び第２フランジ部２２４の樹脂が圧入軸部材２４０に溶着して、所定の溶着力が得られるが、圧入軸部材２４０に溝部２４６が形成されていることにより、その溶着力が格段に大きくなり、ピン部材２１８を第１挿入孔２２２及び第２挿入孔２２６から引き抜くことがきわめて困難になる。これにより、ピン部材２１８を破断することなく引き抜いて、主制御基板１０２を基板ケース２１４から取り出す不正行為を防止できる。
【００８７】
以上のように、ピン部材２１８の圧入軸部材２４０には、第１挿入孔２２２と第２挿入孔２２６の縮径孔部２２６Ｂに圧入されているため、所定の圧力が作用する。また同時に、圧入軸部材２４０に第１フランジ部２２０及び第２フランジ部２２４の樹脂が溶着することにより所定の溶着力が発生する。この２つの力がピン部材２１８の圧入軸部材２４０と各フランジ部２２０、２２４との間に同時に作用するため、ピン部材２１８を第１挿入孔２２２及び第２挿入孔２２６から引き抜くことが困難なる。加えて、圧入軸部材２４０に溝部２４６を形成することにより、第１フランジ部２２０及び第２フランジ部２２４の樹脂とピン部材２１８との間に発生する溶着力が格段に大きくなるため、ピン部材２１８の引き抜きが一層困難になり、不正行為防止性能を高めることができる。
【００８８】
また、専用の工具を用いて、ピン部材２１８を破断又は破損させて、内部の主制御基板１０２を強引に取り出した場合には、ピン部材２１８の破損状況や各挿入孔２２２、２２６Ｂの残骸から、主制御基板１０２に対する不正行為が行われたことを容易に発見することができる。
【００８９】
（第２実施形態）
次に、本発明の第２実施形態に係るパチンコ機について説明する。
なお、第１実施形態のパチンコ機の構成と同様の構成には同符号を付し、その説明を適宜省略する。
【００９０】
第２実施形態のパチンコ機は、主に、ピン部材の圧入軸部材に形成された溝部の構成が、第１実施形態のピン部材２１８の溝部と比較して、異なるものである。すなわち、図１５に示すように、第２実施形態のピン部材（固着具）２５０の圧入軸部材（軸部材）２５２の凸凹領域２５４には、圧入軸部材２５２の軸方向に対して傾斜するように延びる複数の傾斜溝部２５６が形成されている。
【００９１】
第２実施形態によれば、図１６に示すように、ピン部材２５０の圧入軸部材２５２が熱溶着機２４８で加熱された状態で第１挿入孔２２２と第２挿入孔２２６の縮径孔部２２６Ｂにそれぞれ圧入される。そして、ピン部材２５０の圧入軸部材２５２の複数の傾斜溝部２５６に、溶け出した第１フランジ部２２０及び第２フランジ部２２４の樹脂がそれぞれ入り込み、溶着する。これにより、ピン部材２５０と、第１フランジ部２２０及び第２フランジ部２２４と、が係合した状態になる。
【００９２】
ここで、圧入軸部材２５２に形成された傾斜溝部２５６の傾斜方向が、圧入軸部材２５２の軸方向に対して傾斜しているため、ピン部材２５０が圧入された後、ピン部材２５０を第１挿入孔２２２及び第２挿入孔２２６から真っ直ぐに引き抜こうとした場合には、傾斜溝部２５６の凸凹を構成する凸部と傾斜溝部２５６に入り込んだ第１フランジ部２２０及び第２フランジ部２２４の樹脂とが干渉し合うため、ピン部材２５０を引き抜くことが極めて困難になる。これにより、ピン部材２５０の第１挿入孔２２２又は第２挿入孔２２６からの抜き出しを阻止できる。
【００９３】
（第３実施形態）
次に、本発明の第３実施形態に係るパチンコ機について説明する。
なお、第１実施形態のパチンコ機の構成と同様の構成には同符号を付し、その説明を適宜省略する。
【００９４】
第３実施形態のパチンコ機は、主に、ピン部材の圧入軸部材に形成された溝部の構成が、第１実施形態のピン部材２１８の溝部と比較して、異なるものである。すなわち、図１７に示すように、第３実施形態のピン部材（固着具）２６０の圧入軸部材（軸部材）２６２の凸凹領域２６４には、圧入軸部材２６２の軸方向に対して傾斜するように延びる複数の第１傾斜溝部２６６と、圧入軸部材２６２の軸方向に対して第１傾斜溝部２６６の傾斜方向と反対方向に傾斜して延びる第２傾斜溝部２６８と、が形成されている。第１傾斜溝部２６６は、圧入軸部材２６２の凸凹領域２６４の軸方向先端部側に形成されており、第２傾斜溝部２６８は、圧入軸部材２６２の凸凹領域２６４の軸方向後端部側に形成されている。換言すれば、圧入軸部材２６２の凸凹領域２６４には、第１傾斜溝部２６６と第２傾斜溝部２６８とが軸方向に連続（連通）するように形成されている。
【００９５】
第３実施形態によれば、図１８に示すように、ピン部材２６０の圧入軸部材２６２が熱溶着機２４８で加熱された状態で第１挿入孔２２２と第２挿入孔２２６の縮径孔部２２６Ｂにそれぞれ圧入される。そして、ピン部材２６０の圧入軸部材２６２の複数の第１傾斜溝部２６６に、溶け出した第１フランジ部２２０の樹脂が入り込み、溶着する。また、ピン部材２６０の圧入軸部材２６２の複数の第２傾斜溝部２６８に、溶け出した第２フランジ部２２４の樹脂が入り込み、溶着する。さらに、第１傾斜溝部２６６に入り込んだ第１フランジ部２２０の樹脂と、第２傾斜溝部２６８に入り込んだ第２フランジ部２２４の樹脂と、が、連続した第１傾斜溝部２６６と第２傾斜溝部２６８の中で一体になり、一つの連続した樹脂が形成される。これにより、ピン部材２６０と、第１フランジ部２２０及び第２フランジ部２２４と、が係合した状態になる。
【００９６】
ここで、圧入軸部材２６２に形成された第１傾斜溝部２６６の傾斜方向と第２傾斜溝部２６８の傾斜方向が、圧入軸部材２６２の軸方向に対して反対方向になるため、ピン部材２６０を把持して左右方向の一方に回した場合には、第１傾斜溝部２６６又は第２傾斜溝部２６８の一方の傾斜方向が順方向となり、他方の傾斜方向が逆方向の関係になる。この関係は、ピン部材２６０を把持して左右方向の他方に回した場合にも、成立する。これにより、ピン部材２６０を第１挿入孔２２２及び第２挿入孔２２６から引き出そうとして左右方向の一方に回転させた場合には、その回転方向と逆方向となる傾斜方向の第１傾斜溝部２６６又は第２傾斜溝部２６８の一方の凸凹を構成する凸部と、そこに入り込んだ第１フランジ部２２０又は第２フランジ部２２４の樹脂と、が相互に干渉し合うため、ピン部材２６０を引き抜くことが極めて困難になる。
【００９７】
また、ピン部材２６０を第１挿入孔２２２及び第２挿入孔２２６から引き出そうとして左右方向の他方に回転させた場合でも、その回転方向と逆方向となる傾斜方向の第１傾斜溝部２６６又は第２傾斜溝部２６８の他方の凸凹を構成する凸部と、そこに入り込んだ第１フランジ部２２０又は第２フランジ部２２４の樹脂と、が相互に干渉し合うため、ピン部材２６０を引き抜くことが極めて困難になる。これにより、ピン部材２６０を左右のいずれの方向に回転させた場合でも、ピン部材２６０の第１挿入孔２２２又は第２挿入孔２２６からの抜き出しを阻止できる。
【００９８】
（第４実施形態）
次に、本発明の第４実施形態に係るパチンコ機について説明する。
なお、第１実施形態のパチンコ機の構成と同様の構成には同符号を付し、その説明を適宜省略する。
【００９９】
図１９に示すように、第４実施形態のパチンコ機に用いられるピン部材（固着具）２７０の圧入軸部材（軸部材）２７２は、第３実施形態のピン部材２６０の圧入軸部材２６２と同様の構成を有しており、その凸凹領域２７４に、圧入軸部材２７２の軸方向に対して傾斜するように延びる複数の第１傾斜溝部２７６と、圧入軸部材２７２の軸方向に対して第１傾斜溝部２７６の傾斜方向と反対方向に傾斜して延びる第２傾斜溝部２７８と、が形成されている。また、ピン部材２７０のヘッド部材２８０は、圧入軸部材２７２の径方向外側に突出した第１突出片（第１突出部材）２８２と、第１突出片２８２と所定の間隔をあけて設けられ圧入軸部材２７２の径方向外側に突出した第２突出片（第２突出部材）２８４と、第１突出片２８２と第２突出片２８４とを接続する連結部材２８６と、を備えている。このように、ピン部材２７０には、圧入軸部材２７２の軸方向に沿って第１突出片２８２と第２突出片２８４とが所定の距離だけ離間して対向配置されている。
【０１００】
第４実施形態によれば、図２０に示すように、ピン部材２７０の圧入軸部材２７２が熱溶着機２４８で加熱された状態で第１挿入孔２２２と第２挿入孔２２６の縮径孔部２２６Ｂにそれぞれ圧入される。そして、ピン部材２７０の圧入軸部材２７２の複数の第１傾斜溝部２７６に、溶け出した第１フランジ部２２０の樹脂が込み、溶着する。また、ピン部材２７０の圧入軸部材２７２の複数の第２傾斜溝部２７８に、溶け出した第２フランジ部２２４の樹脂が入り込み、溶着する。そして、第１傾斜溝部２７６に入り込んだ第１フランジ部２２０の樹脂と第２傾斜溝部２７８に入り込んだ第２フランジ部２２４の樹脂とが、連続した第１傾斜溝部２７６と第２傾斜溝部２７８の中で一体になり、一つの連続した樹脂が形成される。さらに、ピン部材２７０のヘッド部材２８０を構成する第１突出片２８２と第２突出片２８４との間には、ヘッド部材２８０を介して伝熱されて溶け出した第２フランジ部２２４の樹脂が入り込み、溶着する。換言すれば、第１突出片２８２と第２突出片２８４との間に入り込んだ第２フランジ部２２４の樹脂は、第１突出片２８２と第２突出片２８４と連結部材２８６とにそれぞれ接触して、強固に溶着される。そして、ピン部材２７０は、第１突出片２８２と第２突出片２８４との間において第２フランジ部２２４と係合する。
【０１０１】
このように、第４実施形態によれば、ピン部材２７０の圧入軸部材２７２に対して第１挿入孔２２２及び第２挿入孔２２６から作用する圧力と、ピン部材２７０の圧入軸部材２７２に作用する第１フランジ部２２０及び第２フランジ部２２４の溶着力と、ピン部材２７０のヘッド部材２８０に作用する第２フランジ部２２４の溶着力と、が同時に発生するため、ピン部材２７０を第１挿入孔２２２及び第２挿入孔２２６から抜け出すことがきわめて困難になる。
【０１０２】
特に、第１突出片２８２と第２突出片２８４との間に第２フランジ部２２４の樹脂が入り込み、ヘッド部材２８０と第２フランジ部２２４とが係合した状態になるとともに、ヘッド部材２８０と第２フランジ部２２４との接触面積が大きくなり、溶着力が大幅に増大する。これにより、ピン部材２７０を第１挿入孔２２２及び第２挿入孔２２６から抜き出すことが不可能になり、主制御基板１０２に対する不正行為を防止できる。
【０１０３】
なお、上記各実施形態では、ピン部材２１８が第１挿入孔２２２及び第２挿入孔２２６の両方に介在する構成を示したが、この構成に限られるものではなく、ピン部材２１８が第１挿入孔２２２又は第２挿入孔２２６の少なくとも一方に介在している構成でもよい。この構成では、ピン部材２１８が第１挿入孔２２２又は第２挿入孔２２６のいずれか一方に圧入されるとともに溶着されるため、ピン部材２１８を容易に引き抜くことができなくなる。また同時に、この構成では、ピン部材２１８の軸方向長さを短く（ピン部材２１８の体積を小さく）できるため、ピン部材２１８を加熱した後、ピン部材２１８の熱を第１挿入孔２２２又は第２挿入孔２２６の内周面に伝え易くすることができる。この結果、ピン部材２１８の溶着作業を容易かつ簡易なものにすることができ、溶着時間も短縮できる。
【０１０４】
また、上記各実施形態では、本発明を、主制御基板１０２を収容する主制御基板ケースセット２１０に適用した構成を例に挙げて説明したが、この構成に限られるものではなく、サブ制御基板ケースセット２１２、払出制御基板ケースセット２０２、発射制御基板ケースセット２０４及び電源基板ケースセット２０８など、他の遊技に関連する基板を収容するケースにも容易に適用することができる。
【図面の簡単な説明】
【０１０５】
【図１】本発明の第１実施形態に係る遊技機の正面図である。
【図２】本発明の第１実施形態に係る遊技機の背面図である。
【図３】本発明の第１実施形態に係る遊技機の遊技盤の正面図である。
【図４】本発明の第１実施形態に係る遊技機の遊技盤の背面図である。
【図５】本発明の第１実施形態に係る遊技機の電子制御装置の一部の構成を示すブロック図である。
【図６】本発明の第１実施形態に係る遊技機の電子制御装置を構成するサブ制御基板を説明するための説明図である。
【図７】本発明の第１実施形態に係る遊技機の遊技制御基板収容部材の斜視図である。
【図８】本発明の第１実施形態に係る遊技機の遊技制御基板収容部材の収容部材本体と収容部材蓋体とを対向させた状態の側面図である。
【図９】本発明の第１実施形態に係る遊技機の遊技制御基板収容部材の収容部材本体又は収容部材蓋体のスライド前の状態の側面図である。
【図１０】本発明の第１実施形態に係る遊技機の遊技制御基板収容部材の収容部材本体の第１鍔部材と収容部材蓋体の第２鍔部材とを面接させた状態（収容部材本体と収容部材蓋体とが接合した状態）の側面図である。
【図１１】本発明の第１実施形態に係る遊技機の遊技制御基板収容部材の固着具の側面図である。
【図１２】本発明の第１実施形態に係る遊技機の遊技制御基板収容部材の固着具の正面図である。
【図１３】本発明の第１実施形態に係る遊技機の遊技制御基板収容部材の固着具の背面図である。
【図１４】本発明の第１実施形態に係る遊技機の遊技制御基板収容部材の固着具が第１鍔部材の第１孔部及び第２鍔部材の第２孔部に圧入された状態の構成図である。
【図１５】本発明の第２実施形態に係る遊技機の遊技制御基板収容部材の固着具の側面図である。
【図１６】本発明の第２実施形態に係る遊技機の遊技制御基板収容部材の固着具が第１鍔部材の第１孔部及び第２鍔部材の第２孔部に圧入された状態の構成図である。
【図１７】本発明の第３実施形態に係る遊技機の遊技制御基板収容部材の固着具の側面図である。
【図１８】本発明の第３実施形態に係る遊技機の遊技制御基板収容部材の固着具が第１鍔部材の第１孔部及び第２鍔部材の第２孔部に圧入された状態の構成図である。
【図１９】本発明の第４実施形態に係る遊技機の遊技制御基板収容部材の固着具の側面図である。
【図２０】本発明の第４実施形態に係る遊技機の遊技制御基板収容部材の固着具が第１鍔部材の第１孔部及び第２鍔部材の第２孔部に圧入された状態の構成図である。
【符号の説明】
【０１０６】
１０        パチンコ機（遊技機）
１０２      主制御基板（遊技制御基板）
２１０      主制御基板ケースセット（遊技制御基板収容部材）
２１４      基板ケース（収容部材本体）
２１６      ケースカバー（収容部材蓋体）
２１８      ピン部材（固着具）
２２０      第１フランジ部（第１鍔部材）
２２２      第１挿入孔（第１孔部）
２２４      第２フランジ部（第２鍔部材）
２２６      第２挿入孔（第２孔部）
２４０      圧入軸部材（軸部材）
２４６      溝部
２５０      ピン部材（固着具）
２５２      圧入軸部材（軸部材）
２５６      傾斜溝部
２６０      ピン部材（固着具）
２６２      圧入軸部材（軸部材）
２６６      第１傾斜溝部
２６８      第２傾斜溝部
２７０      ピン部材（固着具）
２７２      圧入軸部材（軸部材）
２７６      第１傾斜溝部
２７８      第２傾斜溝部
２８２      第１突出片（第１突出部材）
２８４      第２突出片（第２突出部材）
【図１】
2009165652.tif 000003
【図２】
2009165652.tif 000004
【図３】
2009165652.tif 000005
【図４】
2009165652.tif 000006
【図５】
2009165652.tif 000007
【図６】
2009165652.tif 000008
【図７】
2009165652.tif 000009
【図８】
2009165652.tif 000010
【図９】
2009165652.tif 000011
【図１０】
2009165652.tif 000012
【図１１】
2009165652.tif 000013
【図１２】
2009165652.tif 000014
【図１３】
2009165652.tif 000015
【図１４】
2009165652.tif 000016
【図１５】
2009165652.tif 000017
【図１６】
2009165652.tif 000018
【図１７】
2009165652.tif 000019
【図１８】
2009165652.tif 000020
【図１９】
2009165652.tif 000021
【図２０】
2009165652.tif 000022